【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
検索から取得される検索結果の関連性を増強するための方法であって、前記方法は、機械で実現される以下のステップを含む：
検索クエリにおける１つ以上のユニットを識別するステップを含み、前記１つ以上のユニットの各々は、前記検索クエリにおける１つの概念に対応し、さらに、
概念ネットワークにおいて、前記検索クエリにおける前記１つ以上のユニットに関連する１つ以上の概念を選択するステップを含み、前記概念ネットワークは複数の概念を含み、
前記１つ以上の概念を選択するステップは、複数のユーザによって提出された前の検索クエリに前記複数の概念のサブセットがどれだけ頻繁に出現したかを判断するステップを含み、前記１つ以上の概念は、前記概念ネットワークの他の概念に相対してより頻繁に前記前のクエリに出現し、
検索を行なうために前記検索クエリを用いるステップと、
前記検索クエリに対する検索結果の関連性に基づいて、前記検索から取得された検索結果を並べ替えるステップとを含み、前記検索結果の各々は前記検索結果のタイトルと要約とを含み、
前記検索結果の前記各々の前記タイトルまたは要約における前記１つ以上の概念の発生に基づいて前記検索結果を再ランク付けするステップとを含む、方法。
【請求項２】
前記概念ネットワークから１つ以上の関連概念を選択するステップはさらに、
前記概念ネットワークにおいて、概念の中から、前記１つ以上のユニットに最も関連する予め定められた数の関連概念を選択するステップを含む、請求項１に記載の方法。
【請求項３】
前記概念ネットワークから１つ以上の関連概念を選択するステップはさらに、
前記概念ネットワークにおいて、１つ以上のユニットに直接的に連結される関連概念をすべて選択するステップを含む、請求項１に記載の方法。
【請求項４】
前記概念ネットワークから１つ以上の関連概念を選択するステップはさらに、
前記概念ネットワークにおいて、前記１つ以上のユニットの同義語である関連概念を選択するステップを含む、請求項１に記載の方法。
【請求項５】
前記検索から取得された前記検索結果を並べ替えるステップはさらに、
前記検索クエリにおける前記１つ以上のユニットが、前記検索結果の各々においてどれだけ頻繁に出現したかに基づき、前記検索結果の各々に再ランク付けスコアを与えるステップを含む、請求項１に記載の方法。
【請求項６】
前記検索から取得された前記検索結果を並べ替えるステップはさらに、
前記検索クエリにおける前記１つ以上のユニット、連想ユニットおよび敷衍ユニットが、前記検索結果の各々においてどれだけ頻繁に出現したかに基づき、前記検索結果の各々に再ランク付けスコアを与えるステップを含む、請求項１に記載の方法。
【請求項７】
前記再ランク付けスコアは各々、前記関連概念の各々についての検索を行なう検索エンジンにより与えられたランク付けスコアからの寄与を含む、請求項５に記載の方法。
【請求項８】
前記検索から取得された前記検索結果を並べ替えるステップはさらに、
前記再ランク付けスコアの値に基づいて前記検索結果を並べ替えるステップを含む、請求項６に記載の方法。
【請求項９】
前記検索から取得された前記検索結果を並べ替えるステップはさらに、ナビゲーショナルクエリを、他の種類のクエリから取得された検索結果よりも高くランク付けするステップを含む、請求項８に記載の方法。
【請求項１０】
検索から取得される検索結果の関連性を増強するための方法であって、前記方法は機械で実現される以下のステップを含む：
検索クエリにおける１つ以上のユニットを識別するステップと、
概念ネットワークにおいて、検索クエリにおける前記１つ以上のユニットに関連する１つ以上の概念を選択するステップとを含み、前記概念ネットワークは複数の概念を含み、
前記１つ以上の概念を選択するステップは、複数のユーザによって提出された前の検索クエリに前記複数の概念のサブセットがどれだけ頻繁に出現したかを判断するステップを含み、前記１つ以上の概念は、前記概念ネットワークの他の概念に相対してより頻繁に前記前のクエリに出現し、
第１の複数の検索結果を取得するために第１の検索を行なうために前記検索クエリを用いるステップと、
第２の複数の検索結果を取得するために第２の検索を行なうために前記１つ以上の概念の少なくとも１つを用いるステップと、
前記第２の複数の検索結果の１つ以上を前記第１の複数の検索結果にインターリーブするステップとを含む、方法。
【請求項１１】
１つ以上のプロセッサによって実行されると前記１つ以上のプロセッサに請求項１に記載のステップを行なわせるプログラムコードを格納している、揮発性または不揮発性メモリ媒体。
【請求項１２】
１つ以上のプロセッサによって実行されると前記１つ以上のプロセッサに請求項２に記載のステップを行なわせるプログラムコードを格納している、揮発性または不揮発性メモリ媒体。
【請求項１３】
１つ以上のプロセッサによって実行されると前記１つ以上のプロセッサに請求項３に記載のステップを行なわせるプログラムコードを格納している、揮発性または不揮発性メモリ媒体。
【請求項１４】
１つ以上のプロセッサによって実行されると前記１つ以上のプロセッサに請求項４に記
載のステップを行なわせるプログラムコードを格納している、揮発性または不揮発性メモリ媒体。
【請求項１５】
１つ以上のプロセッサによって実行されると前記１つ以上のプロセッサに請求項５に記載のステップを行なわせるプログラムコードを格納している、揮発性または不揮発性メモリ媒体。
【請求項１６】
１つ以上のプロセッサによって実行されると前記１つ以上のプロセッサに請求項６に記載のステップを行なわせるプログラムコードを格納している、揮発性または不揮発性メモリ媒体。
【請求項１７】
１つ以上のプロセッサによって実行されると前記１つ以上のプロセッサに請求項７に記載のステップを行なわせるプログラムコードを格納している、揮発性または不揮発性メモリ媒体。
【請求項１８】
１つ以上のプロセッサによって実行されると前記１つ以上のプロセッサに請求項８に記載のステップを行なわせるプログラムコードを格納している、揮発性または不揮発性メモリ媒体。
【請求項１９】
１つ以上のプロセッサによって実行されると前記１つ以上のプロセッサに請求項９に記載のステップを行なわせるプログラムコードを格納している、揮発性または不揮発性メモリ媒体。
【請求項２０】
結果セットは、ユーザに対して表示される検索結果のセットであり、
前記結果セットは、前記第１の複数の検索結果の少なくともサブセットと、前記第２の複数の検索結果のうち前記１つ以上とを含み、
前記第２の複数の検索結果のうち前記１つ以上は、１つ以上の特定の検索結果であり、
前記第２の複数の検索結果ののうち前記１つ以上を前記第１の複数の検索結果にインターリーブするステップは、前記結果セットにおける１つ以上の予め定められた位置において前記１つ以上の特定の検索結果を位置決めするステップを含み、
前記第１の複数の検索結果の少なくとも１つは、前記ユーザに表示されると、前記１つ以上の特定の検索結果の少なくとも１つよりも上に出現し、
前記第１の複数の検索結果の少なくとも別の１つは、前記ユーザに表示されると、前記１つ以上の特定の検索結果の前記少なくとも１つよりも下に出現する、請求項１０に記載の方法。
【請求項２１】
１つ以上のプロセッサによって実行されると前記１つ以上のプロセッサに請求項１０に記載のステップを行なわせるプログラムコードを格納している、揮発性または不揮発性メモリ媒体。
【請求項２２】
１つ以上のプロセッサによって実行されると前記１つ以上のプロセッサに請求項２０に記載のステップを行なわせるプログラムコードを格納している、揮発性または不揮発性メモリ媒体。
【請求項２３】
検索から取得される検索結果の関連性を増強するための方法であって、前記方法は機械で実現される以下のステップを含む：
検索クエリにおける１つ以上のユニットを識別するステップと、
概念ネットワークにおいて、前記検索クエリにおける前記１つ以上のユニットに関連する１つ以上の概念を選択するステップとを含み、前記概念ネットワークは複数の概念を含み、
前記１つ以上の概念を選択するステップは、複数のユーザによって提出された前の検索クエリに前記複数の概念のサブセットがどれだけ頻繁に出現したかを判断するステップを含み、前記１つ以上の概念は、前記概念ネットワークの他の概念に相対してより頻繁に前記前のクエリに出現し、
第１の複数の検索結果を取得するための検索を行なうために前記検索クエリを用いるステップと、
第２の複数の検索結果を取得するための第２の検索を行なうために前記１つ以上の概念の少なくとも１つを用いるステップと、
前記第１の複数の検索結果の各々についてクリックスルー率を判断するステップと、
前記第１の複数の検索結果の１つ以上の第１の検索結果が前記第１の複数の検索結果の他方の検索結果に相対してより低いクリックスルー率に関連付けられると判断することに応答して、
検索結果ページに表示される検索結果セットから前記第１の１つ以上の検索結果を排除するステップと、
前記検索結果セットにおいて、前記第１の１つ以上の検索結果を、前記第２の複数の検索結果の１つ以上の検索結果に置換するステップとを含む、方法。
【請求項２４】
１つ以上のプロセッサによって実行されると前記１つ以上のプロセッサに請求項２３に記載のステップを行なわせるプログラムコードを格納している、揮発性または不揮発性メモリ媒体。